(57)【特許請求の範囲】
【請求項１】
項目が表示される表示装置の表示画面に対する物体の近接の検出を制御する検出制御手段と、
前記表示画面に対する物体の近接が検出された場合、前記物体が近接した近接位置の周辺に表示されている前記項目である注目項目の表示態様を変化させて、前記注目項目を、あらかじめ定められた標準の位置からずらしたずらし位置に表示するとともに、前記注目項目に関する関連情報を表示する表示制御を行う表示制御手段と
を備える表示制御装置。
【請求項２】
前記項目には、タッチがされることにより所定の処理が実行される機能が割り当てられており、
前記項目の関連情報は、前記項目に割り当てられている機能の機能名称、又は、前記機能を説明する説明文である
請求項１に記載の表示制御装置。
【請求項３】
前記表示制御手段は、前記注目項目を、あらかじめ定められた標準のサイズから拡大した拡大サイズで表示する
請求項１に記載の表示制御装置。
【請求項４】
前記表示制御手段は、前記近接位置の周辺に、複数の前記項目が表示されている場合、その複数の前記項目それぞれを、前記注目項目として、複数の前記注目項目の表示態様を変化させて、前記注目項目を、あらかじめ定められた標準の位置からずらしたずらし位置に表示するとともに、複数の前記注目項目それぞれの前記関連情報を表示する
請求項１に記載の表示制御装置。
【請求項５】
項目が表示される表示装置の表示画面に対する物体の近接を検出し、
前記表示画面に対する物体の近接が検出された場合、前記物体が近接した近接位置の周辺に表示されている前記項目である注目項目の表示態様を変化させて、前記注目項目を、あらかじめ定められた標準の位置からずらしたずらし位置に表示するとともに、前記注目項目に関する関連情報を表示する表示制御を行う
ステップを含む表示制御方法。
【請求項６】
項目が表示される表示装置の表示画面に対する物体の近接を検出する検出手段と、
前記表示画面に対する物体の近接が検出された場合、前記物体が近接した近接位置の周辺に表示されている前記項目である注目項目の表示態様を変化させて、前記注目項目を、あらかじめ定められた標準の位置からずらしたずらし位置に表示するとともに、前記注目項目に関する関連情報を表示する表示制御を行う表示制御手段と
して、コンピュータを機能させるためのプログラム。
【発明の詳細な説明】
【技術分野】
【０００１】
本発明は、表示制御装置、表示制御方法、及び、プログラムに関し、特に、例えば、アイコン等の項目に関する関連情報を、ユーザが容易に認識することができるようにする表示制御装置、表示制御方法、及び、プログラムに関する。
【背景技術】
【０００２】
例えば、PC(Personal Computer)や、ディジタルカメラ、携帯端末、TV（テレビジョン受像機）、カーナビゲーション装置等の電子機器では、ユーザが、電子機器に入力を与えるユーザインターフェースとして、アイコンが採用されることがある。
【０００３】
アイコンを採用するユーザインターフェースにおいて、アイコンが、何を表すのかを説明する説明メッセージを表示する表示方法としては、例えば、説明メッセージを、定常的に表示しておく方法や、十字キー等のカーソルキーの操作に応じて移動するカーソルが、あるアイコン上に位置している場合に、そのアイコンの説明メッセージを表示する方法がある。
【０００４】
ところで、アイコンを採用するユーザインターフェースとしては、例えば、アイコン等を表示する液晶パネル等の表示パネルと、ユーザの指等のタッチを検出するタッチパネルとが一体的に構成されたタッチスクリーンを用いたユーザインターフェースがある。
【０００５】
タッチスクリーンを用いたユーザインターフェースでは、タッチスクリーンに表示されたアイコンに、タッチがされると、そのアイコンに割り当てられた機能が実行される。
【０００６】
以上のように、タッチスクリーンを用いたユーザインターフェースでは、アイコンへのタッチをトリガとして、そのアイコンに割り当てられた機能が実行されるため、アイコンへのタッチを、そのアイコンの説明メッセージを表示するトリガに用いることができない。
【０００７】
そのため、タッチスクリーンを用いたユーザインターフェースでは、例えば、ガイド用のガイドアイコン（ボタン）が設けられ、ガイドアイコンに、タッチがされてから、所望のアイコンに、タッチがされると、所望のアイコンの説明メッセージが表示される。
【０００８】
一方、近年においては、ユーザの指等の近接を検出する表示パネルを用い、ユーザの指等が、表示パネルに近接すると、メニューを表示する表示方法が提案されている（例えば、特許文献１を参照）。
【先行技術文献】
【特許文献】
【０００９】
【特許文献１】特開2007-108841号公報
【発明の概要】
【発明が解決しようとする課題】
【００１０】
上述のように、ガイドアイコンにタッチがされた後にタッチがされたアイコンの説明メッセージを表示する方法では、ユーザは、まず、ガイドアイコンに、タッチし、その後、さらに、所望のアイコンにタッチしなければならず、面倒である。
【００１１】
また、ガイドアイコンにタッチがされた後にタッチがされたアイコンの説明メッセージを表示する方法では、ガイドアイコンの説明メッセージを表示することが困難であり、さらに、ガイドアイコンの使い方を知らないユーザは、説明メッセージを見ることが困難である。
【００１２】
一方、電子機器においては、アイコンや、リスト形式に配列された文字列等の項目（アイテム）を、表示パネルに表示し、ユーザが項目にタッチした場合に、所定の処理を行うユーザインターフェースを採用することが増加している。
【００１３】
したがって、表示パネルに表示された項目が何を表すかを説明する説明メッセージ等の、項目に関する関連情報を、ユーザが容易に認識することができるようにする技術の提案が要請されている。
【００１４】
本発明は、このような状況に鑑みてなされたものであり、例えば、アイコン等の項目に関する関連情報を、ユーザが容易に認識することができるようにするものである。
【課題を解決するための手段】
【００１５】
本発明の一側面の表示制御装置、又は、プログラムは、項目が表示される表示装置の表示画面に対する物体の近接を検出する検出手段と、前記表示画面に対する物体の近接が検出された場合、前記物体が近接した近接位置の周辺に表示されている前記項目である注目項目の表示態様を変化させて、前記注目項目を、あらかじめ定められた標準の位置からずらしたずらし位置に表示するとともに、前記注目項目に関する関連情報を表示する表示制御を行う表示制御手段とを備える表示制御装置、又は、表示制御装置として、コンピュータを機能させるためのプログラムである。
【００１６】
本発明の一側面の表示制御方法は、項目が表示される表示装置の表示画面に対する物体の近接を検出し、前記表示画面に対する物体の近接が検出された場合、前記物体が近接した近接位置の周辺に表示されている前記項目である注目項目の表示態様を変化させて、前記注目項目を、あらかじめ定められた標準の位置からずらしたずらし位置に表示するとともに、前記注目項目に関する関連情報を表示する表示制御を行うステップを含む表示制御方法である。
【００１７】
本発明の一側面においては、項目が表示される表示装置の表示画面に対する物体の近接が検出される。そして、前記表示画面に対する物体の近接が検出された場合、前記物体が近接した近接位置の周辺に表示されている前記項目である注目項目の表示態様が変化して、前記注目項目が、あらかじめ定められた標準の位置からずらしたずらし位置に表示され、前記注目項目に関する関連情報が表示される。
【００１８】
なお、表示制御装置は、独立した装置であっても良いし、１つの装置を構成している内部ブロックであっても良い。
【００１９】
また、プログラムは、伝送媒体を介して伝送することにより、又は、記録媒体に記録して、提供することができる。
【発明の効果】
【００２０】
本発明の一側面によれば、表示装置に表示される項目に関する関連情報を、ユーザが容易に認識することができる。
【図面の簡単な説明】
【００２１】
【図１】本発明を適用したディジタルカメラの一実施の形態の構成例を示すブロック図である。
【図２】ディジタルカメラの外観構成例を示す斜視図である。
【図３】表示制御装置の機能的な構成例を示すブロック図である。
【図４】入出力パネル１８の表示画面の第１の表示例を示す図である。
【図５】入出力パネル１８の表示画面の第２の表示例を示す図である。
【図６】表示制御装置が行う表示制御処理を説明するフローチャートである。
【図７】入出力パネル１８の表示画面の第３の表示例を示す図である。
【発明を実施するための形態】
【００２２】
［本発明を適用したディジタルカメラの一実施の形態］
【００２３】
図１は、本発明を適用したディジタルカメラ（ディジタルスチルカメラ）の一実施の形態の構成例を示すブロック図である。
【００２４】
レンズ部１１は、撮影レンズ、絞り、フォーカスレンズ等を含み、レンズ部１１に入射する光は、撮像素子１２に照射される。
【００２５】
撮像素子１２は、例えば、CCDや(Charge Coupled Device)や、CMOS(Complementary Metal Oxide Semiconductor)イメージャ等で構成され、レンズ部１１からの光を光電変換し、その結果得られるアナログの画像信号を、アナログ信号処理部１３に供給する。
【００２６】
アナログ信号処理部１３は、撮像素子１２からの画像信号に、相関二重サンプリング処理や自動利得調整処理等のアナログ信号処理を施し、A/D(Analog/Digital)変換部１４に供給する。
【００２７】
A/D(Analog/Digital)変換部１４は、アナログ信号処理部１３からの画像信号をA/D変換し、その結果得られるディジタルの画像データを、ディジタル信号処理部１５に供給する。
【００２８】
ディジタル信号処理部１５は、A/D変換部１４からの画像データに、ホワイトバランス調整処理や、ノイズ除去処理、必要な圧縮符号化処理（例えば、JPEG(Joint Photographic Experts Group)符号化等）等のディジタル信号処理を施し、入出力パネル１８（の表示部１７）や記録デバイス１９に供給する。
【００２９】
入出力パネル１８は、入力部１６と表示部１７とで構成される。
【００３０】
入力部１６は、外部からの入力を受け付ける（検知する）機能を有するデバイス、すなわち、例えば、静電式等のタッチパネルや、光を照射する光源と、その光の、物体からの反射光を受光するセンサとのセット等で構成される。
【００３１】
入力部１６は、外部からの物体、すなわち、例えば、ユーザの指や、ユーザが扱うタッチペン等が近接し、又は、タッチされると、その近接、又は、タッチがされている位置を表す信号を、CPU２３に供給する。
【００３２】
表示部１７は、画像を表示するデバイス（表示装置）、すなわち、例えば、液晶パネル等で構成され、ディジタル信号処理部１５から供給される画像データ等に応じて、画像を表示する。
【００３３】
入出力パネル１８は、以上のような入力部１６と表示部１７とが一体的になっており、表示部１７において画像を表示し、入力部１６において、表示部１７に表示された画像に対する外部からの操作入力（ここでは、タッチと近接の両方）を受け付けることができる。
【００３４】
記録デバイス１９には、例えば、DVD(Digital Versatile Disc)等のディスクや、メモリカード等の半導体メモリその他のリムーバブルな記録媒体（図示せず）の着脱が可能になっており、記録デバイス１９は、装着された記録媒体に対する画像データの記録再生制御を行う。
【００３５】
すなわち、記録デバイス１９は、ディジタル信号処理部１５からの画像データを、記録媒体に記録し、また、記録媒体に記録された画像データを読み出し、ディジタル信号処理部１５に供給する。
【００３６】
アクチュエータ２０は、レンズ部１１のフォーカスレンズや絞りを調整するモータであり、モータドライブ２１によって駆動される。
【００３７】
モータドライブ２１は、CPU(Central Processing Unit)２３の制御に従い、アクチュエータ２０を駆動する。
【００３８】
TG(Timing Generator)２２は、CPU２３の制御に従い、露出時間等を調整するためのタイミング信号を、撮像素子１２に供給する。
【００３９】
CPU２３は、プログラムROM(Read Only Memory)２６に記憶されたプログラム、さらには、必要に応じて、EEPROM(Electrically Erasable Programmable ROM)２５に記憶されたプログラムを実行することにより、ディジタルカメラを構成する各ブロックを制御する。
【００４０】
操作部２４は、ユーザによって操作される物理的なボタン等であり、ユーザの操作に対応する信号を、CPU２３に供給する。
【００４１】
EEPROM２５は、例えば、ユーザが操作部２４等を操作することにより設定した撮像パラメータ等の、ディジタルカメラの電源がオフされたときにも保持する必要があるデータや、プログラムを記憶する。
【００４２】
プログラムROM２６は、CPU２３が実行するプログラム等を記憶している。
【００４３】
RAM２７は、CPU２３の動作上必要なデータやプログラムを一時記憶する。
【００４４】
以上のように構成されるディジタルカメラでは、CPU２３が、プログラムROM２６等に記録されているプログラムを実行することにより、ディジタルカメラの各部を制御する。
【００４５】
一方、レンズ部１１に入射した光は、撮像素子１２において光電変換され、その結果得られる画像信号が、アナログ信号処理部１３に供給される。アナログ信号処理部１３では、撮像素子１２からの画像信号に、アナログ信号処理が施され、A/D変換部１４に供給される。
【００４６】
A/D変換部１４では、アナログ信号処理部１３からの画像信号が、A/D変換され、その結果得られるディジタルの画像データが、ディジタル信号処理部１５に供給される。
【００４７】
ディジタル信号処理部１５では、A/D変換部１４からの画像データに、ディジタル信号処理が施され、入出力パネル１８（の表示部１７）に供給されて、対応する画像、すなわち、いわゆるスルー画が表示される。
【００４８】
また、CPU２３は、入出力パネル１８（の入力部１６）や操作部２４からの信号に従い、所定の処理を実行する。
【００４９】
すなわち、入出力パネル１８や操作部２４が、例えば、撮像を行うように操作されると、CPU２３は、写真としての静止画を撮影するための処理を行い、ディジタル信号処理部１５に、A/D変換部１４からの画像データに対して、圧縮符号化処理を施させ、記録デバイス１９を介して、記録媒体に記録させる。
【００５０】
また、入出力パネル１８や操作部２４が、例えば、再生を行うように操作されると、CPU２３は、ディジタル信号処理部１５を制御することにより、記録デバイス１９を介して、記録媒体から、画像データを読み出させる。
【００５１】
さらに、CPU２３は、ディジタル信号処理部１５に、記録媒体から読み出した画像データを伸張させ、入出力パネル１８に供給して表示させる。
【００５２】
また、CPU２３は、ユーザインターフェースとしてのアイコンやリスト形式に配列された文字列等の項目（の画像）を、ディジタル信号処理部１５を介して、入出力パネル１８に供給して表示させる。
【００５３】
さらに、CPU２３は、入出力パネル１８（の入力部１６）からの信号に応じて、項目に関する関連情報を、ディジタル信号処理部１５を介して、入出力パネル１８に供給して表示させる。
【００５４】
なお、項目の（画像）データや、関連情報は、例えば、EEPROM２５やプログラムROM２６に記憶されている。
【００５５】
CPU２３は、その他、例えば、フォーカスの制御に用いるフォーカス枠（AF枠）の画像を生成し、ディジタル信号処理部１５を介して、入出力パネル１８に供給して表示させる。
【００５６】
ここで、ディジタルカメラは、例えば、AF(Auto focus)機能、AE(Auto Exposure)機能、AWB(Auto White Balance)機能等を有しており、これらの機能は、CPU２３がプログラムを実行することにより実現される。
【００５７】
例えば、入出力パネル１８でのAF枠の表示は、AF機能によって行われる。入出力パネル１８（の表示部１７の表示画面）に表示されたAF枠の位置は、入出力パネル１８に対する、AF枠の位置を移動するような操作によって移動することができる。また、入出力パネル１８（の表示部１７の表示画面）に表示されたAF枠のサイズは、入出力パネル１８に対する、AF枠のサイズを変更するような操作によって変更することができる。
【００５８】
なお、CPU２３に実行させるプログラムは、例えば、リムーバブルな記録媒体からディジタルカメラにインストールすることや、ネットワークを介してダウンロードし、ディジタルカメラにインストールすることができる。
【００５９】
図２は、図１のディジタルカメラの外観構成例を示す斜視図である。
【００６０】
すなわち、図２Ａは、ディジタルカメラの前面側（撮像時に被写体に向けられる側）の斜視図であり、図２Ｂは、ディジタルカメラの背面側の斜視図である。
【００６１】
レンズカバー３１は、ディジタルカメラの前面を覆うように設けられており、上下に移動可能になっている。
【００６２】
レンズカバー３１が上側に位置しているときには、レンズ部１１等が覆われた状態になる。また、レンズカバー３１が下側に位置しているときには、レンズ部１１等が露出し、ディジタルカメラは、撮像可能な状態となる。
【００６３】
図２Ａでは、レンズカバー３１は、下側に位置しており、レンズ部１１が露出している。
【００６４】
レンズ部１１の左側には、AFイルミネータ３２が設けられている。AFイルミネータ３２は、例えば、被写体が暗く、AF機能によってフォーカスを合わせることが困難な場合に、被写体を照明するための光（補助光）を発する。
【００６５】
なお、AFイルミネータ３２は、セルフタイマを使用して撮像を行う場合に、ユーザに、セルフタイマによる撮像のタイミングを知らせるために発光するセルフタイマランプとしても機能する。
【００６６】
ディジタルカメラの上部には、図１の操作部２４を構成する電源ボタン３３、再生ボタン３４、シャッタボタン（レリーズボタン）３５、及び、ズームレバー３６が設けられている。
【００６７】
電源ボタン３３は、ディジタルカメラの電源のオンとオフとを切り替えるときに操作され、再生ボタン３４は、記録デバイス１９（図１）に装着された記録媒体に記録された画像データを再生するときに操作される。
【００６８】
シャッタボタン（レリーズボタン）３５は、記録デバイス１９（図１）に装着された記録媒体に画像データを記録する（写真（静止画）を撮る）ときに操作され、ズームレバー３６は、ズームを調整するときに操作される。
【００６９】
ディジタルカメラの背面には、入出力パネル１８が設けられている。入出力パネル１８には、スルー画が表示される。また、入出力パネル１８には、アイコンやリスト形式に配列された文字列等の項目や、項目に関する関連情報等（の画像）が表示される。
【００７０】
ユーザは、入出力パネル１８に、指やタッチペン等を近接、又は、タッチすることで、ディジタルカメラに、各種の（操作）入力を与えることができる。
【００７１】
［表示制御装置の構成例］
【００７２】
図３は、表示制御を行う図１のCPU２３としての表示制御装置の機能的な構成例を示すブロック図である。
【００７３】
ここで、図１のディジタルカメラにおいて、CPU２３は、アイコンやリスト形式に配列された文字列等の項目や、項目の関連情報を、入出力パネル１８に表示する表示制御を行う。
【００７４】
図３は、そのような表示制御を行うCPU２３としての表示制御装置の機能的な構成例を示している。
【００７５】
表示制御装置は、入力検出部５１、及び、表示制御部５２を有する。
【００７６】
入力検出部５１には、入出力パネル１８（の入力部１６）から、その入出力パネル１８（の入力部１６）に対して与えられる外部からの刺激（入力）に応じた信号（以下、刺激信号ともいう）が供給される。
【００７７】
入力検出部５１は、入出力パネル１８（の入力部１６）からの刺激信号に基づいて、入出力パネル１８（の入力部１６）に対する外部からの入力、すなわち、例えば、ユーザの指や、ユーザが扱うタッチペン等が近接したことや、タッチしたこと、その近接、又は、タッチがされた（入出力パネル１８上の）位置等を検出し、入出力パネル１８に対してユーザが行った操作を表す操作情報として、表示制御部５２に供給する。
【００７８】
表示制御部５２は、必要に応じて、EEPROM２５やプログラムROM２６にデータが記憶されているアイコン等の項目を、入出力パネル１８（の表示部１７）に表示する表示制御を行う。
【００７９】
また、表示制御部５２は、入力検出部５１からの操作情報が、入出力パネル１８の表示画面に対する物体の近接を表している場合、物体が近接した近接位置の周辺に表示されている項目を、注目する注目項目として、その注目項目の表示態様を変化させるとともに、EEPROM２５やプログラムROM２６にデータが記憶されている、注目項目の関連情報を、入出力パネル１８に表示する表示制御を行う。
【００８０】
［入出力パネル１８の表示例］
【００８１】
図４は、入出力パネル１８（の表示部１７）の表示画面の第１の表示例を示す図である。
【００８２】
図４Ａは、ディジタルカメラが撮像待機状態になっている場合の、物体が近接もタッチもしていない状態の入出力パネル１８の表示画面の表示例を示している。
【００８３】
ここで、撮像待機状態とは、シャッタボタン３５（図２）が操作されたならば、写真（静止画）の撮影が行われる状態（画像が撮像され、記録デバイス１９（図１）に装着された記録媒体に記録される状態）を意味する。
【００８４】
図４Ａでは、入出力パネル１８において、表示画面の左右の一部を除く部分に、スルー画が表示され、表示画面の左右のあらかじめ定められた標準の位置に、所定の機能が割り当てられているアイコンが、あらかじめ定められた標準のサイズで表示されている（アイコンが、あらかじめ定められた標準の表示態様で表示されている）。
【００８５】
なお、アイコンに割り当てられている機能には、そのアイコンにタッチがされることにより、例えば、撮影パラメータ等をディジタルカメラの設定に任せるオート撮影や笑顔を検出すると撮影を行うスマイルシャッタのオンとオフの切り替え等の所定の処理が実行される機能や、バッテリの残量や撮像可能な写真（静止画）の枚数等のディジタルカメラの状態を表示する機能がある。
【００８６】
図４Ｂは、ユーザが、図４Ａの表示画面に表示されたアイコンのうちの、例えば、左側の最上部に表示されたアイコンに、指（又は、タッチペン等の物体）を近接させた場合の、入出力パネル１８の表示画面の表示例を示している。
【００８７】
図４Ｂでは、ユーザが指を近接させたアイコンの表示態様が変化している。すなわち、ユーザが指を近接させたアイコンが、標準のサイズから拡大した拡大サイズで表示されている。
【００８８】
さらに、図４Ｂでは、ユーザが指を近接させたアイコンに割り当てられている機能の機能名称「スマイルシャッター」が、そのアイコンの近くに表示されている。
【００８９】
以上のように、ユーザが指を近接させたアイコンに割り当てられている機能の機能名称が表示されるので、ユーザは、アイコンに関する関連情報としての、アイコンに割り当てられている機能を、複雑な操作をすることなく、指を近接させるだけで、容易に認識することができる。
【００９０】
また、機能名称が表示されるアイコンが、拡大サイズで表示されるので、ユーザは、どのアイコンの機能名称が表示されているのかを、容易に認識することができる。
【００９１】
なお、機能名称「スマイルシャッター」のアイコン（以下、スマイルアイコンともいう）には、タッチがされることにより、オート撮影のオンとオフの切り替えの処理が実行される機能が割り当てられている。
【００９２】
したがって、ユーザが、指を、スマイルアイコンに近接させると、スマイルアイコンが、拡大サイズで表示されるとともに、そのスマイルアイコンの関連情報としての機能名称「スマイルシャッター」が表示される。そして、ユーザが、指を、スマイルアイコンにタッチすると、オート撮影のオンとオフの切り替えが行われる。
【００９３】
ユーザは、スマイルアイコンに指を近接させることにより表示される機能名称を見ることにより、そのスマイルアイコンに割り当てられている機能を（ある程度）把握した上で、いわば安心して、スマイルアイコンにタッチすることができる。
【００９４】
図４Ｃは、ユーザが、図４Ａの表示画面の左側の最上部に表示されたスマイルアイコンに、指を近接させた場合の、入出力パネル１８の表示画面の他の表示例を示している。
【００９５】
図４Ｃでは、図４Ｂの場合と同様に、ユーザが指を近接させたスマイルアイコンに割り当てられている機能の機能名称「スマイルシャッター」が表示されている。
【００９６】
但し、図４Ｃでは、図４Ｂの場合とは異なり、ユーザが指を近接させたスマイルアイコンが、拡大サイズで表示されるのではなく、標準の位置からずらしたずらし位置（図４Ｃでは、標準の位置から、表示画面の中央寄りにずれた位置）に表示されている。
【００９７】
図４Ｃの場合も、図４Ｂの場合と同様に、ユーザが指を近接させたアイコンに割り当てられている機能の機能名称が表示されるので、ユーザは、アイコンに割り当てられている機能を、指を近接させるだけで、容易に認識することができる。
【００９８】
また、図４Ｃでは、ユーザが指を近接させたアイコンが、標準の位置からずらして表示されるので、アイコンが拡大サイズで表示される図４Ｂの場合と同様に、ユーザは、どのアイコンの機能名称が表示されているのかを、容易に認識することができる他、ユーザがアイコンに近接させた指によって、そのアイコンが見にくくなることを防止することができる。
【００９９】
なお、ユーザが指を近接させたアイコンは、拡大サイズで、かつ、標準の位置からずらして表示することが可能である。
【０１００】
図４Ｄは、ユーザが、図４Ａの表示画面の左側の最上部に表示されたスマイルアイコンに、指を近接させた場合の、入出力パネル１８の表示画面の、さらに他の表示例を示している。
【０１０１】
図４Ｄでは、図４Ｃの場合と同様に、ユーザが指を近接させたスマイルアイコンが、標準の位置からずらしたずらし位置に表示されている。
【０１０２】
但し、図４Ｄでは、ユーザが指を近接させたスマイルアイコンに割り当てられている機能の機能名称「スマイルシャッター」と、その機能を説明する機能説明文とが表示されている。
【０１０３】
以上のように、ユーザが指を近接させたアイコンの機能説明文が表示される場合には、ユーザは、アイコンに割り当てられている機能を、より詳細に認識することができる。
【０１０４】
なお、図４Ｄでは、機能名称と、機能説明文との両方が表示されているが、機能説明文だけを表示することが可能である。
【０１０５】
ここで、機能名称と機能説明文の一方、又は、両方を、機能メッセージともいう。
【０１０６】
図５は、入出力パネル１８の表示画面の第２の表示例を示す図である。
【０１０７】
図５Ａは、メニューが表示され、物体が近接もタッチもしていない状態の入出力パネル１８の表示画面の表示例を示している。
【０１０８】
図５Ａでは、入出力パネル１８において、アイコンがマトリクス上に配置されたメニューが表示されている。
【０１０９】
図５Ｂは、ユーザが、図５Ａの表示画面の左上に配置されたアイコンに、指を近接させた場合の、入出力パネル１８の表示画面の表示例を示している。
【０１１０】
図５Ｂでは、ユーザが指を近接させたアイコンが、標準のサイズから拡大した拡大サイズで表示されている。
【０１１１】
さらに、図５Ｂでは、ユーザが指を近接させたアイコンに割り当てられている機能の機能名称「かんたんモード」が、そのアイコンの近くに、吹き出しの形で表示されている。
【０１１２】
図５Ｃは、ユーザが、図５Ａの表示画面の左上に配置されたアイコンに、指を近接させた場合の、入出力パネル１８の表示画面の他の表示例を示している。
【０１１３】
図５Ｃでは、図５Ｂの場合と同様に、ユーザが指を近接させたアイコンが、拡大サイズで表示され、かつ、そのアイコンに割り当てられている機能の機能名称「かんたんモード」が、吹き出しの形で表示されている他、その機能を説明する機能説明文が表示されている。
【０１１４】
図５の場合にも、図４の場合と同様に、ユーザは、アイコンに割り当てられている機能を、指を近接させるだけで、容易に認識することができ、どのアイコンの機能メッセージ（機能名称、機能説明文）が表示されているのかを、容易に認識することができる。
【０１１５】
［全体表示モードの表示制御処理］
【０１１６】
図６は、図３の表示制御装置が行う表示制御処理を説明するフローチャートである。
【０１１７】
ステップＳ１０において、表示制御部５２は、例えば、図４や図５に示したように、アイコン等の所定の項目（アイテム）を、標準の表示態様で、入出力パネル１８（の表示画面）に表示し、処理は、ステップＳ１１に進む。
【０１１８】
ここで、標準の表示態様は、あらかじめ定められており、アイコンを、標準の表示態様で表示するとは、例えば、アイコン等の項目を、標準のサイズで、標準の位置に表示することを意味する。
【０１１９】
ステップＳ１１において、表示制御部５２は、入力検出部５１から供給される操作情報に基づき、入出力パネル１８の表示画面に対する近接、又は、タッチが検出されたかどうかを判定する。
【０１２０】
ステップＳ１１において、入出力パネル１８の表示画面に対するタッチが検出されたと判定された場合、すなわち、ユーザが、指等で、入出力パネル１８にタッチした場合、処理は、ステップＳ１２に進み、表示制御部５２は、タッチがされた入出力パネル１８上の位置に応じて行うことが、あらかじめ定められている処理であるタップ処理を行う。
【０１２１】
一方、ステップＳ１１において、入出力パネル１８の表示画面に対するタッチも、近接も検出されていないと判定された場合、処理は、ステップＳ１３に進み、表示制御部５２は、入出力パネル１８に表示された項目の中に、後述するステップＳ１７で表示態様が変化された項目があれば、その項目を、標準の表示態様で表示し（表示し直し）、さらに、後述するステップＳ１７で機能メッセージ等の関連情報が入出力パネル１８に表示されている場合には、その関連情報を消去して、処理は、ステップＳ１１に戻る。
【０１２２】
また、ステップＳ１１において、入出力パネル１８の表示画面に対する近接が検出されたと判定された場合、すなわち、ユーザが、指等を、入出力パネル１８に近接させた場合、処理は、ステップＳ１４に進み、表示制御部５２は、入力検出部５１から供給される操作情報から、入出力パネル１８に近接した指等の入出力パネル１８上の位置（近接位置）の座標を取得し、処理は、ステップＳ１５に進む。
【０１２３】
ステップＳ１５では、表示制御部５２は、近接位置の座標（近接座標）が、入出力パネル１８上の、項目の表示位置を基準とする所定のエリアである項目エリア内の座標であるかどうかを判定する。
【０１２４】
すなわち、入出力パネル１８に表示される項目としての、例えば、アイコン等については、そのアイコンが表示される表示画面上の表示位置（標準の位置）を基準とするエリア（表示画面上の領域）である項目エリアが、あらかじめ定められている。
【０１２５】
ここで、アイコンの項目エリアは、例えば、そのアイコンを囲む長方形や円形等のエリアであり、表示制御部５２は、タッチ、又は、近接がされた位置が、アイコンの項目エリア内（の上部）である場合、そのアイコンに、タッチ、又は、近接がされたと認識（判定）する。
【０１２６】
例えば、いま、入出力パネル１８に、N個の項目としてのアイコンが表示されていることとすると、ステップＳ１５では、近接座標が、N個の項目それぞれの項目エリア#1ないし#Nのうちのいずれかの項目エリア内の座標であるかどうかが判定される。
【０１２７】
ステップＳ１５において、近接座標が、N個の項目エリア#1ないし#Nのうちのいずれの項目エリア内の座標でもないと判定された場合、すなわち、ユーザの指等が、入出力パネル１８に近接したが、その近接がされた近接位置の周辺（近接位置を含む）に、アイコンが存在せず、したがって、ユーザの指等が、N個の項目としてのアイコンのいずれでもない位置に近接した場合、処理は、ステップＳ１３に進み、上述した場合と同様の処理が行われる。
【０１２８】
そして、処理は、ステップＳ１３からステップＳ１１に戻り、以下、同様の処理が繰り返される。
【０１２９】
また、ステップＳ１５において、近接座標が、N個の項目エリア#1ないし#Nのうちのいずれかの項目エリア内の座標であると判定された場合、すなわち、ユーザの指等が、入出力パネル１８に表示されたN個の項目としてのアイコンのいずれかに近接した場合、処理は、ステップＳ１６に進み、表示制御部５２は、項目エリア#1ないし#Nのうちの、近接座標を含む項目エリア#nに対応する項目、すなわち、ユーザの指等が近接した項目（ユーザの指等が近接した近接位置の周辺にある項目）を、注目項目とする。
【０１３０】
そして、ステップＳ１６では、表示制御部５２は、入出力パネル１８に表示された項目のうちの注目項目以外の項目の中に、ステップＳ１７で表示態様が変化された項目があれば、その項目を、標準の表示態様で表示し（表示し直し）、さらに、注目項目以外の項目の機能メッセージ等の関連情報が入出力パネル１８に表示されている場合には、その関連情報を消去して、処理は、ステップＳ１７に進む。
【０１３１】
ステップＳ１７では、表示制御部５２は、注目項目の関連情報を、入出力パネル１８に表示する。すなわち、表示制御部５２は、例えば、図４や図５に示したように、注目項目の関連情報としての、ユーザの指等が近接したアイコンの機能メッセージを表示する。
【０１３２】
さらに、ステップＳ１７では、表示制御部５２は、注目項目の表示態様を変化させる。すなわち、表示制御部５２は、例えば、図４や図５に示したように、注目項目としての、ユーザの指等が近接したアイコンを、拡大サイズに拡大し、あるいは、標準の位置からずらして表示する。
【０１３３】
その後、処理は、ステップＳ１７からステップＳ１１に戻り、以下、同様の処理が繰り返される。
【０１３４】
［入出力パネル１８の他の表示例］
【０１３５】
図７は、入出力パネル１８の表示画面の第３の表示例を示す図である。
【０１３６】
図７Ａは、ユーザが、上述の図４Ａの表示画面の左側の最上部に表示されたアイコンと、その下に表示されたアイコンとの２つのアイコンの間の中間の位置に、指を近接させた場合の、入出力パネル１８の表示画面の表示例を示している。
【０１３７】
図４ないし図６では、ユーザの指等が近接している位置（近接位置）の１つのアイコンについて、表示態様を変化させ、かつ、機能メッセージを表示したが、表示態様を変化させ、かつ、機能メッセージを表示することは、複数のアイコンについて行うことができる。
【０１３８】
すなわち、表示制御部５２は、ユーザの指等が近接している近接位置の周辺に、複数のアイコン等の項目が表示されている場合、その複数の項目それぞれを、注目項目として、複数の注目項目それぞれの表示態様を変化させるとともに、複数の注目項目それぞれの関連情報を表示することができる。
【０１３９】
図７Ａでは、ユーザが指を近接させた位置（近接位置）の周辺に表示されている、図４Ａの表示画面の左側の最上部に表示されたアイコンと、その下に表示されたアイコンとの２つの２つのアイコンが、注目する注目アイコンになっている。
【０１４０】
そして、２つの注目アイコンそれぞれが、拡大サイズで表示されており、さらに、その２つの注目アイコンそれぞれに割り当てられている機能の機能名称が表示されている。
【０１４１】
図７Ｂは、ユーザが、上述の図５Ａの表示画面の左上に配置されたアイコンと、その右に表示されたアイコンとの２つのアイコンの間の中間の位置に、指を近接させた場合の、入出力パネル１８の表示画面の表示例を示している。
【０１４２】
図７Ｂでは、ユーザが、指を近接させた近接位置の周辺に表示されている、図５Ａの表示画面の左上に配置されたアイコンと、その右に表示されたアイコンとの２つのアイコンが、注目アイコンになっている。
【０１４３】
そして、２つの注目アイコンそれぞれが、拡大サイズで表示されており、さらに、その２つの注目アイコンそれぞれに割り当てられている機能の機能名称が、吹き出しの形で表示されている。
【０１４４】
以上のように、２つ等の複数のアイコンについて、表示態様を変化させ、かつ、機能メッセージを表示する場合には、ユーザは、複数のアイコンそれぞれに割り当てられている機能を、同時に、容易に認識することができる。
【０１４５】
図７Ｃは、リスト形式に配列された、ボタンとして機能する項目としての文字列が表示された入出力パネル１８の表示画面の表示例を示している。
【０１４６】
図７Ｃでは、ユーザの指が近接されたボタンとしての文字列について、機能説明文が表示されている。
【０１４７】
図７Ｃに示すように、機能説明文等は、文字列等の、アイコン以外の項目に、ユーザの指が近接した場合にも表示することができる。
【０１４８】
なお、本発明の実施の形態は、上述した実施の形態に限定されるものではなく、本発明の要旨を逸脱しない範囲において種々の変更が可能である。
【０１４９】
すなわち、本発明は、ディジタルカメラの他、アイコンや文字列等の項目を表示するユーザインターフェースを採用する装置に適用可能である。
【０１５０】
また、入出力パネル１８に表示される項目としては、アイコンや文字列の他、動画や静止画のサムネイルを採用することができる。
【０１５１】
入出力パネル１８に表示された動画や静止画のサムネイルについては、ユーザの指等が近接した場合に、動画や静止画の撮影日時（動画が、テレビジョン放送番組である場合には、そのテレビジョン放送番組が録画（放送）された日時）や、タイトル、容量（ファイルサイズ）等の、動画や静止画のメタデータを、項目としてのサムネイルに関する関連情報として表示することができる。
【０１５２】
そして、ユーザが、サムネイルにタッチした場合には、そのサムネイルに対応する動画や静止画を再生することができる。
【０１５３】
また、本実施の形態では、ユーザの指等が近接したアイコンの表示態様としてのサイズや位置を変化させることとしたが、その他、ユーザの指等が近接したアイコンについては、色や輝度等を変化させることができる。
【符号の説明】
【０１５４】
１１  レンズ部，  １２  撮像素子，  １３  アナログ信号処理部，  １４  A/D変換部，  １５  ディジタル信号処理部，  １６  入力部，  １７  表示部，  １８  入出力パネル，  １９  記録デバイス，  ２０  アクチュエータ，  ２１  モータドライブ，  ２２  TG，  ２３  CPU，  ２４  操作部，  ２５  EEPROM，  ２６  プログラムROM，  ２７  RAM，  ３１  レンズカバー，  ３２  AFイルミネータ，  ３３  電源ボタン，  ３４  再生ボタン，  ３５  シャッタボタン，  ３６  ズームレバー，  ５１  入出力検出部，  ５２  表示制御部
【図１】
0005617603.tif 000002
【図２】
0005617603.tif 000003
【図３】
0005617603.tif 000004
【図４】
0005617603.tif 000005
【図５】
0005617603.tif 000006
【図６】
0005617603.tif 000007
【図７】
0005617603.tif 000008